(57)【要約】【課題】飲料水入り容器を段ボール箱に詰めたときにデッドスペースが出来難くして輸送の効率化が図れる飲料水の輸送方法を提供する。【解決手段】ウォーターサーバーに使用される飲料水を輸送するための方法であって、  開口部を有する合成樹脂フィルム製の包装袋に飲料水を充填した後、開口部を熱溶着することにより飲料水を密封することにより、ウォーターサーバーにセット可能な寸法の飲料水バッグを形成する飲料水バッグ形成工程と、飲料水バッグを変形させて段ボール箱に収納し、飲料水バッグの復元力により飲料水バッグを段ボール箱の内壁面に密着させる飲料水バッグ収納工程とを備えている飲料水の輸送方法。【選択図】図１
2013079089.tif 000002
【特許請求の範囲】
【請求項１】
ウォーターサーバーに使用される飲料水を輸送するための方法であって、
開口部を有する合成樹脂フィルム製の包装袋に飲料水を充填した後、前記開口部を熱溶着することにより前記飲料水を密封することにより、前記ウォーターサーバーにセット可能な寸法の飲料水バッグを形成する飲料水バッグ形成工程と、
前記飲料水バッグを変形させて段ボール箱に収納し、前記飲料水バッグの復元力により前記飲料水バッグを前記段ボール箱の内壁面に密着させる飲料水バッグ収納工程と
を備えていることを特徴とする飲料水の輸送方法。
【請求項２】
請求項１に記載の飲料水バッグを変形させて段ボール箱に収納し、前記飲料水バッグの復元力により前記飲料水バッグを前記段ボール箱の内壁面に密着させたことを特徴とする飲料水入り容器の梱包体。
【請求項３】
前記飲料水バッグを前記段ボール箱内で積み上げると共に、前記飲料水バッグの間に平坦な仕切板を介在させたことを特徴とする請求項２に記載の飲料水入り容器の梱包体。
【発明の詳細な説明】
【技術分野】
【０００１】
本発明は、ウォーターサーバーに使用される飲料水の輸送方法および飲料水入り容器の梱包体に関する。
【背景技術】
【０００２】
ウォーターサーバーに用いられる飲料水の流通方法としては、飲料水を入れたガロンボトル等の容器を段ボール箱に収納した状態でコンテナに詰めて流通させる方法が一般的である。
【０００３】
また、飲料水を消費者に提供する場合には、飲料水を入れた容器は、そのままウォーターサーバーにセットされて使用されるようになっている（例えば、特許文献１）。
【０００４】
しかしながら、飲料水入りの容器を段ボール箱に収納して輸送する場合には、段ボール箱内にデッドスペースができるため、効率的に輸送することができないという問題があった。
【０００５】
【先行技術文献】
【特許文献】
【０００６】
【特許文献１】特開２０１０−２６９８２９号公報
【発明の開示】
【発明が解決しようとする課題】
【０００７】
本発明は上記問題を解決するために、飲料水入り容器を段ボール箱に詰めたときにデッドスペースが出来難くして輸送の効率化が図れる飲料水の輸送方法および飲料水入り容器の梱包体を提供することを目的とする。
【課題を解決するための手段】
【０００８】
請求項１の飲料水の輸送方法は、
ウォーターサーバーに使用される飲料水を輸送するための方法であって、
開口部を有する合成樹脂フィルム製の包装袋に飲料水を充填した後、前記開口部を熱溶着することにより前記飲料水を密封することにより、前記ウォーターサーバーにセット可能な寸法の飲料水バッグを形成する飲料水バッグ形成工程と、
前記飲料水バッグを変形させて段ボール箱に収納し、前記飲料水バッグの復元力により前記飲料水バッグを前記段ボール箱の内壁面に密着させる飲料水バッグ収納工程と
を備えていることを特徴とする飲料水の輸送方法である。
【０００９】
請求項２の飲料水入り容器の梱包体は、請求項１に記載の飲料水バッグを変形させて段ボール箱に収納し、前記飲料水バッグの復元力により前記飲料水バッグを前記段ボール箱の内壁面に密着させたことを特徴とする飲料水入り容器の梱包体である。
【００１０】
請求項３の飲料水入り容器の梱包体は、
前記飲料水バッグを前記段ボール箱内で積み上げると共に、前記飲料水バッグの間に平坦な仕切板を介在させたことを特徴とする請求項２に記載の飲料水入り容器の梱包体である。
【発明の効果】
【００１１】
本発明によれば、飲料水入り容器を段ボール箱に詰めたときにデッドスペースが出来難くして輸送の効率化が図れる飲料水の輸送方法および飲料水入り容器の梱包体を提供することできる。
【図面の簡単な説明】
【００１２】
【図１】本発明の実施の形態に係る飲料水の輸送方法の一工程である飲料水バッグ形成工程を模式的に示す斜視図である。
【図２】本発明の実施の形態に係る飲料水の輸送方法に用いられる飲料水バッグの平面図である。
【図３】本発明の実施の形態に係る飲料水入り容器の梱包体を模式的に示す断面図である。
【発明を実施するための形態】
【００１３】
以下、本発明を実施の形態に基づいて説明する。
【００１４】
図１は、本発明の実施の形態に係る飲料水の輸送方法の一工程である飲料水バッグ形成工程を模式的に示す斜視図である。
【００１５】
飲料水の輸送方法は、図外のウォーターサーバーに使用される飲料水を輸送するための方法であって、飲料水バッグ形成工程と、飲料水バッグ収納工程とを備えている。
【００１６】
（１）飲料水バッグ形成工程
図１に示すように、飲料水バッグ形成工程においては、飲料水バッグの形成装置を用いて、開口部を有する合成樹脂フィルム製の包装袋９に飲料水６を充填した後、包装袋９の開口部を熱溶着することにより飲料水６を密封して飲料水バッグ７を形成する。
【００１７】
図１に示すように、飲料水バッグの形成装置は、中空マンドレル１を有する縦型ピロー包装機２と、背シールバー３と、エンドシールバー４と、図外のトップシールバーを備えている。
【００１８】
長尺の合成樹脂フィルム５は、図外の合成樹脂フィルム供給リールから繰り出されて、縦型ピロー包装機２の中空マンドレル１の外周に巻きつけられて筒状に成形され、背シールバー３によって包装袋の背シールがされ、エンドシールバー４によって包装袋のエンドシールがされる。また、これと同時に、先に包装袋および充填がなされて、下方に位置する前の包装袋のトップシールがなされる。このようにして形成された包装袋９に、中空マンドレル１の中空部を通して飲料水６が充填される。飲料水６が充填された包装袋９は１つ分の長さだけ下方に送られる。図外のトップシールバーによって包装袋９のトップシールがなされる。これと同時に、上で説明したように、上方に位置する後の包装袋のエンドシールがなされる。さらに、後の包装袋のエンドシールと前の包装袋のトップシールとの間の合成樹脂フィルム５が切断されて、飲料水バッグ６が形成される。
【００１９】
なお、本工程は、縦型ピロー包装機２以外の公知の装置を用いて行ってもよく、飲料水バッグ７の包装袋９は、矩形状の合成樹脂フィルム５の４辺が熱溶着により閉じられたものであってもよい。
【００２０】
図２は、本発明の実施の形態に係る飲料水の輸送方法に用いられる飲料水バッグの平面図である。図２に示すように、飲料水バッグ７は熱溶着片８により密封されるものであり、合成樹脂フィルム５はポリエチレン等で形成されている。また、飲料水バッグ７は、ウォーターサーバーにセット可能な寸法に形成されている。なお、飲料水の充填は無菌工場で行われ、下記のように段ボール箱１０に入れて出荷される。
【００２１】
なお、ウォーターサーバーは、ホルダー、針部、注水栓等を備えており、飲料水バッグ７がホルダーにセットされることにより、飲料水バッグ７の包装袋９が針部に接触して孔が開き、この孔から飲料水６が流出し、注水栓から給水できるように構成されている。
【００２２】
（２）飲料水バッグ収納工程
本工程は、飲料水入り容器の梱包体を形成するための工程である。図３は本発明の実施の形態に係る飲料水入り容器の梱包体を模式的に示す断面図である。
【００２３】
飲料水バッグ７は、図３に示すように、段ボール箱１０に収納され、飲料水バッグ７を段ボール箱１０の内壁面に密着させてデッドスペースを形成されないようにする。
【００２４】
段ボール箱１０は方形状であり、その寸法は、図３に示すように、飲料水バッグ７が段ボール箱１０内で段ボール箱１０に合わせて方形状に変形して段ボール箱１０の内壁面に密着し、飲料水バッグ７の溶着片８が折れ曲がって段ボール箱１０の内壁面に密着するように、設定がされている。
【００２５】
飲料水バッグ７を段ボール箱１０に収納する作業手順としては、最終的に飲料水バッグ７が方形状に変形して段ボール箱１０の内壁面に密着するのであれば、特に限定されるものではなく、例えば、飲料水バッグ７を両側から圧縮した状態で段ボール箱１０内に入れた後、飲料水バッグ７の復元力を利用して飲料水バッグ７を段ボール箱１０の内壁面に密着させることが考えられる。なお、図３では、図面による説明を容易にするために飲料水バッグ７と段ボール箱１０の内壁面とを密着させないで両者間に隙間を形成している。
【００２６】
なお、複数の飲料水バッグ７を段ボール箱１０内で積み上げると共に、飲料水バッグ７の間の図外の平坦な仕切板を介在させてもよい。平坦な仕切板を介在させることにより、飲料水バッグ７が仕切板に沿って平坦になるため、飲料水バッグ７を安定した状態で積み上げることができる。
【００２７】
（３）このようにして段ボール箱１０に収納された飲料水は、コンテナ等で輸送される。
【００２８】
なお、本発明は上記の実施の形態に限定されるものではなく、本発明と同一および均等の範囲内において、種々の変更を加えることができる。
【符号の説明】
【００２９】
１          中空マンドレル
２          縦型ピロー包装機
３          背シールバー
４          エンドシールバー
５          合成樹脂フィルム
６          飲料水
７          飲料水バッグ
８          熱溶着片
９          包装袋
１０        段ボール箱
【図１】
2013079089.tif 000003
【図２】
2013079089.tif 000004
【図３】
2013079089.tif 000005
【図４】
2013079089.tif 000006
【手続補正書】
【提出日】平成23年11月6日(2011.11.6)
【手続補正１】
【補正対象書類名】明細書
【補正対象項目名】００１２
【補正方法】変更
【補正の内容】
【００１２】
【図１】本発明の実施の形態に係る飲料水の輸送方法の一工程である飲料水バッグ形成工程を模式的に示す斜視図である。
【図２】本発明の実施の形態に係る飲料水の輸送方法に用いられる飲料水バッグの平面図である。
【図３】本発明の実施の形態に係る飲料水入り容器の梱包体を模式的に示す断面図である。
【図４】飲料水バッグの平面図である。